(57)【特許請求の範囲】
【請求項１】
モータ本体の軸方向一方側に設けられ、前記モータ本体の整流子に当接される第１ブラシ及び第２ブラシを有すると共に、前記第１ブラシ及び前記第２ブラシを収容するブラシホルダが前記モータ本体の軸方向他方側へ立設されたベースプレートを有するブラシ装置と、
前記ブラシ装置に設けられ、一端側において対を成す前記第１ブラシ又は前記第２ブラシに電気的に接続され、それぞれの他端部において外部コネクタが接続され且つ前記ベースプレートに対して前記モータ本体の軸方向他方側へ延出されているコネクタ接続部を有する一対の給電ターミナルと、
前記給電ターミナルの他端部にそれぞれ設けられ、前記モータ本体の径方向を板厚方向として前記給電ターミナルから前記モータ本体の軸方向一方側へ延出されると共に、前記ベースプレートに対して前記モータ本体の軸方向他方側から軸方向一方側へ突出され、前記ベースプレートに対して前記モータ本体の軸方向一方側に配置された電気素子の脚部が前記モータ本体の軸方向一方側から圧入される溝部を有すると共に、前記モータ本体の軸方向から見て前記モータ本体の径方向に互いにずれて配置された一対の素子接続部と、
を備えたモータ。
【請求項２】
前記モータ本体の軸方向から見て、前記電気素子の素子本体部が一対の前記素子接続部に対して前記モータ本体の径方向内側に配置され、前記電気素子の脚部が前記素子本体部から前記モータ本体の径方向外側へ延出されている請求項１に記載のモータ。
【発明の詳細な説明】
【技術分野】
【０００１】
本発明は、給電ターミナルに電気素子が接続されたモータに関する。
【背景技術】
【０００２】
下記特許文献１に記載されたモータでは、外部コネクタからの電力をブラシに供給する一対のターミナル（給電ターミナル）が、それぞれ第１端子及び第２端子で構成されている。また、一対のターミナルにおける第１端子間には、過電圧抑制用のバリスタ（電気素子）が接続されている。
【先行技術文献】
【特許文献】
【０００３】
【特許文献１】特開２０１２−１９１７９２号公報
【発明の概要】
【発明が解決しようとする課題】
【０００４】
しかしながら、上記のモータでは、以下のような問題がある。すなわち、バリスタ（電気素子）がモータの回転軸の径方向外側に配置されている。また、一対の第１端子には、素子接続部がそれぞれ形成されており、素子接続部は、モータの軸方向から見て、モータの径方向に対して直交する方向に対向して配置されている。そして、一対の第１端子間にバリスタが配置されると共に、バリスタの脚部が素子接続部側へ屈曲されている。すなわち、バリスタの脚部が互いに離間する方向に屈曲されている。このため、バリスタの脚部に曲げ加工を施す必要があるため作業工数が増加すると共に、曲げ加工された脚部の角度管理等が必要になる。また、バリスタの脚部が互いに離間する方向に屈曲されているため、モータの軸方向から見たバリスタの搭載スペースが大きくなり、モータの大型化を招く虞がある。
【０００５】
本発明は、上記事実を考慮し、作業工数の増加を抑制しつつ、電気素子の搭載スペースの大型化を抑制できるモータを提供することを目的とする。
【課題を解決するための手段】
【０００６】
本発明のモータは、モータ本体の軸方向一方側に設けられ、前記モータ本体の整流子に当接される第１ブラシ及び第２ブラシを有すると共に、前記第１ブラシ及び前記第２ブラシを収容するブラシホルダが前記モータ本体の軸方向他方側へ立設されたベースプレートを有するブラシ装置と、前記ブラシ装置に設けられ、一端側において対を成す前記第１ブラシ又は前記第２ブラシに電気的に接続され、それぞれの他端部において外部コネクタが接続され且つ前記ベースプレートに対して前記モータ本体の軸方向他方側へ延出されているコネクタ接続部を有する一対の給電ターミナルと、前記給電ターミナルの他端部にそれぞれ設けられ、前記モータ本体の径方向を板厚方向として前記給電ターミナルから前記モータ本体の軸方向一方側へ延出されると共に、前記ベースプレートに対して前記モータ本体の軸方向他方側から軸方向一方側へ突出され、前記ベースプレートに対して前記モータ本体の軸方向一方側に配置された電気素子の脚部が前記モータ本体の軸方向一方側から圧入される溝部を有すると共に、前記モータ本体の軸方向から見て前記モータ本体の径方向に互いにずれて配置された一対の素子接続部と、を備えている。
【０００７】
上記構成によれば、モータ本体の軸方向一方側にブラシ装置が設けられており、ブラシ装置は、モータ本体の整流子に当接される第１ブラシ及び第２ブラシを含んで構成されている。また、ブラシ装置には、一対の給電ターミナルが設けられており、一対の給電ターミナルは、一端側において、対を成す第１ブラシ又は前記第２ブラシに電気的に接続されている。また、一対の給電ターミナルは、それぞれの他端部において、外部コネクタが接続されるコネクタ接続部を有しており、コネクタ接続部はモータ本体の軸方向他方側へ延出されている。
【０００８】
さらに、一対の給電ターミナルの他端部には、それぞれ素子接続部が設けられている。素子接続部は、モータ本体の径方向を板厚方向として給電ターミナルからモータ本体の軸方向一方側へ延出されている。さらに、素子接続部は溝部を有しており、電気素子の脚部がモータ本体の軸方向一方側から溝部内に圧入されている。これにより、電気素子が一対の給電ターミナルを接続している。
【０００９】
ここで、モータ本体の軸方向から見て、一対の素子接続部が、モータ本体の径方向に互いにずれて配置されている。すなわち、一対の素子接続部が、モータ本体の径方向に離間して配置されている。このため、電気素子の脚部間の距離が比較的短い場合でも、一対の素子接続部が互いに干渉しないように、電気素子の脚部間の距離に対応させて一対の素子接続部を配置できる。これにより、電気素子の脚部に曲げ加工等を施す必要がなくなる。また、モータ本体の径方向における一対の素子接続部の位置が一致している場合と比べて、電気素子や一対の素子接続部の搭載スペースを小さく設定することができる。
【００１０】
また、本発明のモータは、前記モータ本体の軸方向から見て、前記電気素子の素子本体部が一対の前記素子接続部に対して前記モータ本体の径方向内側に配置され、前記電気素子の脚部が前記素子本体部から前記モータ本体の径方向外側へ延出されている。
【００１１】
上記構成によれば、電気素子の素子本体部が、一対の素子接続部に対してモータ本体の径方向内側に配置されている。このため、一対の素子接続部に対してモータ本体の径方向外側に素子本体部を配置する場合と比べて、モータがモータ本体の径方向外側へ大きくなることを抑制できる。
【図面の簡単な説明】
【００１２】
【図１】本実施の形態に係るモータに用いられるブラシ装置をモータ本体の軸方向一方側から見た下面図である。
【図２】本実施の形態に係るモータの全体を模式的に示す側面図である。
【図３】図１に示されるブラシ装置を分解した状態を示す分解斜視図である。
【図４】図１に示されるブラシ装置をモータ本体の軸方向他方側から見た平面図である。
【発明を実施するための形態】
【００１３】
以下、図面を用いて本実施の形態に係るモータ１０について説明する。モータ１０は、例えば、車両（自動車）のパワーウィンド装置やサンルーフ装置等の駆動源として用いられている。図２に示されるように、モータ１０は、モータ本体１２と、モータ本体１２の軸方向一方側に設けられたブラシ装置４０と、を含んで構成されている。なお、図面に示される矢印Ａはモータ本体１２の軸方向一方側を示し、矢印Ｂはモータ本体１２の軸方向他方側を示している。そして、以下の説明では、モータ本体１２の軸方向一方側を下側と称し、モータ本体１２の軸方向他方側を上側と称する。
【００１４】
モータ本体１２は、所謂ブラシ付直流モータとして構成されている。モータ本体１２は、下側へ開放された略有底円筒状のモータヨーク１４を備えている。このモータヨーク１４の内周面には、複数の永久磁石（図示省略）が固定されており、永久磁石はモータヨーク１４の周方向に沿って交互に磁極が異なるように配置されている。
【００１５】
モータヨーク１４内には、永久磁石の内側において、アーマチャ１６が回転自在に収容されている。アーマチャ１６は、回転軸１８と、アーマチャコア２２と、アーマチャコイル２４と、整流子２６と、を含んで構成されている。回転軸１８は、略丸棒状に形成されて、モータヨーク１４と同軸上に配置されている。そして、回転軸１８の上端部が、軸受２０Ａを介してモータヨーク１４の底部に回転自在に支持されている。一方、回転軸１８の下側部分はモータヨーク１４の開口部から下側へ突出されており、回転軸１８の下端部が、後述するハウジング３０に軸受２０Ｂを介して回転自在に支持されている。
【００１６】
アーマチャコア２２は、回転軸１８に固定されると共に、モータヨーク１４内に配置されている。このアーマチャコア２２は、複数のティースを有する板状の鉄心板を複数枚積層して形成されている。また、アーマチャコア２２は、等角度間隔に配置された複数のスロットを有し、アーマチャコア２２の所定スロット毎に順次巻線が重巻にて施されてアーマチャコイル２４が形成される。
【００１７】
整流子２６は、略円筒状に形成されて、アーマチャコア２２の下側において回転軸１８に固定されると共に、モータヨーク１４の下側に配置されている。この整流子２６は複数の整流子片を有しており、整流子片は、整流子２６の周方向に電気絶縁された状態で並んで配置されている。そして、アーマチャコイル２４の所定スロット毎に巻回された巻線が、順次各整流子片に電気的に接続されている。
【００１８】
また、モータ本体１２の開口部には、ハウジング３０が固定されており、回転軸１８の下側部分及び整流子２６がハウジング３０内に収容された状態でモータ本体１２の開口部がハウジング３０によって閉塞されている。このハウジング３０には、後述する第１ブラシ５０及び第２ブラシ５２に電力を給電するための外部コネクタ（図示省略）が嵌着されるコネクタハウジング部３２が一体に形成されている。コネクタハウジング部３２は、ハウジング３０からモータ本体１２の径方向外側へ突出されると共に、上方側へ突出されている。すなわち、コネクタハウジング部３２の上部がモータヨーク１４の径方向外側に隣接して配置されている。
【００１９】
また、ハウジング３０内には、整流子２６の径方向外側に配置されたブラシ装置４０が収容支持されている。以下、ブラシ装置４０について説明する。図４に示されるように、ブラシ装置４０は、ベースプレート４２と、一対の第１ブラシ５０及び第２ブラシ５２と、「給電ターミナル」としての第１給電ターミナル６０と、「給電ターミナル」としての第２給電ターミナル７０と、を含んで構成されている。
【００２０】
ここで、以下の説明では、モータ本体１２の軸方向から見て、モータ本体１２の軸方向（上下方向）に対して直交する直交方向（図４の矢印Ｃ方向及び矢印Ｄ方向）を第１方向と称し、図４の矢印Ｃ方向を第１方向一方側とし、図４の矢印Ｄ方向を第１方向他方側とする。また、モータ本体１２の軸方向から見て、モータ本体１２の軸線ＣＬを通過し且つ第１方向に沿って延在される架空線を第１直交線ＶＬ１と称する。さらに、モータ本体１２の軸方向から見て第１方向に対して直交する直交方向（図４の矢印Ｅ方向及び矢印Ｆ方向）を第２方向と称し、図４の矢印Ｅ方向を第２方向一方側とし、図４の矢印Ｆ方向を第２方向他方側とする。またさらに、モータ本体１２の軸方向から見て、モータ本体１２の軸線ＣＬを通過し且つ第２方向に沿って延在される架空線を第２直交線ＶＬ２と称する。これにより、前述したコネクタハウジング部３２（図２参照）は、モータ本体１２に対して第１方向他方側に突出されている。
【００２１】
図３及び図４に示されるように、ベースプレート４２は、絶縁材料（樹脂）により製作されている。このベースプレート４２は、軸心に貫通孔４２Ａを有する略円環状のベース部４４を有している。このベース部４４はモータ本体１２（回転軸１８）と同軸上に配置されており、前述した整流子２６が貫通孔４２Ａ内に配置されている。
【００２２】
また、ベース部４４における第２直交線ＶＬ２に対して第１方向一方側の部分には、一対のブラシホルダ４６が一体に設けられている。一対のブラシホルダ４６は、第１直交線ＶＬ１に対して線対称となる位置に配置されている（図４参照）。また、ブラシホルダ４６は、略矩形柱状に形成されて、ベース部４４の上側に立設されている。さらに、ブラシホルダ４６には、ブラシ収容部４６Ａ（図３参照）が形成されており、ブラシ収容部４６Ａは、断面略矩形状に形成されて、ベース部４４の径方向に貫通形成されている。そして、第１ブラシ５０及び第２ブラシ５２が、ベース部４４の径方向に移動可能にブラシ収容部４６Ａ内にそれぞれ収容されている。さらに、第１ブラシ５０及び第２ブラシ５２は、図示しないトーションスプリングによってベース部４４（回転軸１８）の径方向内側へ付勢されて、整流子２６に摺接可能に当接されている。
【００２３】
また、ベースプレート４２はコネクタ部４８を有しており、コネクタ部４８はベース部４４から第１方向他方側へ延出されている。そして、コネクタ部４８の先端部分が、前述したハウジング３０のコネクタハウジング部３２内に収容されている。
【００２４】
第１給電ターミナル６０は、ベースプレート４２の上側に配置されてベースプレート４２に組付けられている。また、第１給電ターミナル６０は、第１直交線ＶＬ１に対して第２方向一方側に配置され、全体として第１方向に延在されている。具体的には、第１給電ターミナル６０は、第１給電ターミナル６０の一端部（第１方向一方側の端部）を構成する第１接続部６０Ａと、第１給電ターミナル６０の長手方向中間部を構成する第１ターミナル本体部６０Ｂと、第１給電ターミナル６０の他端部（第１方向他方側の端部）を構成する「コネクタ接続部」としての第１コネクタ接続部６０Ｃと、を含んで構成されている。
【００２５】
第１接続部６０Ａは、上側から見て、第１ブラシ５０の第１方向他方側に配置され、板厚方向をベース部４４の略径方向にして配置されると共に、上下方向に延在されている。そして、第１接続部６０Ａには、サーミスタ６２が接続されており、サーミスタ６２は、中継ターミナル６４、チョークコイル６６を介して、第１ブラシ５０に設けられた第１ピッグテール６８に接続されている。これにより、第１ブラシ５０と第１給電ターミナル６０とが対を成して、第１給電ターミナル６０が、一端側において第１ブラシ５０に電気的に接続されている。そして、第１ブラシ５０と外部コネクタとが第１給電ターミナル６０によって接続されるようにいる。なお、サーミスタ６２、中継ターミナル６４、及びチョークコイル６６は、ベース部４４の上側においてベースプレート４２に組付けられている。
【００２６】
図３に示されるように、第１ターミナル本体部６０Ｂは、幅方向を上下方向として、第１接続部６０Ａの上下方向中間部から第１方向他方側且つ第２方向他方側へ延出されている。また、第１ターミナル本体部６０Ｂは、その基端側において、第１方向一方側に屈曲されており、第１ターミナル本体部６０Ｂの他端側部分がベースプレート４２のコネクタ部４８の上側において第１方向に沿って延在されている。さらに、第１ターミナル本体部６０Ｂの他端部には、第１屈曲部６０Ｄが形成されており、第１屈曲部６０Ｄは上側から見て第２方向一方側へ略直角に屈曲されている。
【００２７】
そして、第１コネクタ接続部６０Ｃが、第１屈曲部６０Ｄから上側へ延出されて、前述したハウジング３０のコネクタハウジング部３２内に配置されている。これにより、第１コネクタ接続部６０Ｃは、第１方向を板厚方向にして上下方向に延在されている。そして、コネクタハウジング部３２に嵌着された外部コネクタの端子が第１コネクタ接続部６０Ｃに接続されるようになっている。
【００２８】
さらに、第１給電ターミナル６０の他端部には、後述するバリスタ８０の脚部８４を接続する「素子接続部」としての雑防素子接続部６０Ｅが一体に形成されている。雑防素子接続部６０Ｅは、第１屈曲部６０Ｄに対して下側において、板厚方向を第１方向として上下方向に延在されて、コネクタ部４８から下側へ突出されている（図１参照）。具体的には、雑防素子接続部６０Ｅの上端部に連結部６０Ｆが一体に形成されており、連結部６０Ｆは、上側から見て第２方向一方側へ開放された略Ｕ字形状に屈曲されて、雑防素子接続部６０Ｅの上端部から第１方向一方側且つ第２方向一方側へ延び出されている。そして、連結部６０Ｆが第１屈曲部６０Ｄの下端に接続されている。これにより、雑防素子接続部６０Ｅが第１コネクタ接続部６０Ｃに対して第１方向他方側にずれて配置されている（図４参照）。また、雑防素子接続部６０Ｅの先端部（下端部）には、下側へ開放された「溝部」としての第１接続溝６０Ｅ１が形成されている。
【００２９】
また、第１ターミナル本体部６０Ｂの基端部（一端部）には、雑防素子接続部６０Ｇが形成されている。この雑防素子接続部６０Ｇは、第１ターミナル本体部６０Ｂから下側へ延出されており、長手方向中間部において略第２方向他方側に屈曲されている。そして、雑防素子接続部６０Ｇの下端部が、上下方向を板厚方向としてベース部４４の上側に配置されている。
【００３０】
図３及び図４に示されるように、第２給電ターミナル７０は、ベースプレート４２の上側に配置されると共に、ベースプレート４２に組付けられている。また、第２給電ターミナル７０は、全体として第１方向に延在されると共に、第２給電ターミナル７０の第１方向他方側の部分を除いて第１直交線ＶＬ１に対して第２方向他方側に配置されている（図４参照）。具体的には、第２給電ターミナル７０は、全体として第１方向に延在された第２ターミナル本体部７０Ａと、第２給電ターミナル７０の他端部を構成する「コネクタ接続部」としての第２コネクタ接続部７０Ｂと、を含んで構成されている。
【００３１】
第２ターミナル本体部７０Ａは、第２ターミナル本体部７０Ａの一端側の部分（第１方向一方の部分）を構成する本体片７０Ａ１と、第２ターミナル本体部７０Ａの他端側の部分（第１方向他端側の部分）を構成する本体片７０Ａ２と、を含んで構成されている。
【００３２】
図３に示されるように、本体片７０Ａ１は、幅方向を上下方向にしてベース部４４の略周方向に沿うように延在されている。具体的には、本体片７０Ａ１は上側から見て第１方向他方側へ向かうに従い第１直交線ＶＬ１に接近する方向に傾斜して配置されている（図４参照）。本体片７０Ａ１の一端部には、幅方向一方側（上方側）の端部において、ベース部４４の径方向内側へ屈曲された屈曲部が形成されており、この屈曲部にチョークコイル７２が配置されている。また、本体片７０Ａ１の一端部には、略Ｕ字形に折り返された接続部が形成されており、この接続部にチョークコイル７２の一端部が接続されている。そして、チョークコイル７２の他端部が、第２ブラシ５２に設けられた第２ビッグテール７４に接続されている。これにより、第２ブラシ５２と第２給電ターミナル７０とが対を成して、第２給電ターミナル７０が、一端側において、第２ブラシ５２に電気的に接続されている。
【００３３】
また、本体片７０Ａ１の一端部には、チョークコイル７２に対して第１方向他方側の位置において、雑防素子接続部７０Ｃが形成されている。この雑防素子接続部７０Ｃは、本体片７０Ａ１の幅方向一方側（上方側）の端部においてベース部４４の略径方向内側へ屈曲されている。そして、前述した第１給電ターミナル６０の雑防素子接続部６０Ｇ及び第２給電ターミナル７０の雑防素子接続部７０Ｃの先端部にコンデンサ７６（広義には、「電気素子（雑防素子）」として把握される要素である）の脚部が接続されている。具体的には、図１に示されるように、コンデンサ７６が、ベースプレート４２の下側からベース部４４に組付けられて、コンデンサ７６の脚部の先端部がベース部４４から上側へ突出されている。そして、突出されたコンデンサ７６の脚部が雑防素子接続部６０Ｇ及び雑防素子接続部７０Ｃに接続されている。これにより、コンデンサ７６が、外部コネクタと第１ブラシ５０及び第２ブラシ５２との間において、第１給電ターミナル６０及び第２給電ターミナル７０を接続している。
【００３４】
図３に示されるように、本体片７０Ａ２は、第２方向を板厚方向として第１給電ターミナル６０における第１ターミナル本体部６０Ｂの第２方向他方側に配置されると共に、第１方向に延在されている。また、本体片７０Ａ２は、本体片７０Ａ１の上側に配置されると共に、第１ターミナル本体部６０Ｂの他端側の部分と第２方向において対向して配置されている。
【００３５】
さらに、第２ターミナル本体部７０Ａは、本体片７０Ａ１と本体片７０Ａ２とを連結するための連結片７０Ａ３を有しており、連結片７０Ａ３は第１方向を板厚方向として上下方向に延在されている。そして、連結片７０Ａ３の下端部に本体片７０Ａ１の他端部が接続され、連結片７０Ａ３の上端部に本体片７０Ａ２の一端部が接続されている。また、第２ターミナル本体部７０Ａ（本体片７０Ａ２）の他端部には、第２屈曲部７０Ｄが形成されており、第２屈曲部７０Ｄは上側から見て第２方向一方側へ略直角に屈曲されている。
【００３６】
そして、第２コネクタ接続部７０Ｂが、第２屈曲部７０Ｄから上側へ延出されて、前述したハウジング３０のコネクタハウジング部３２内に配置されている。これにより、第２コネクタ接続部７０Ｂは、第１方向を板厚方向にして上下方向に延在されており、コネクタハウジング部３２に嵌着された外部コネクタの端子が第２コネクタ接続部７０Ｂに接続されるようになっている。また、第２方向において、第１コネクタ接続部６０Ｃと第２コネクタ接続部７０Ｂとが並んで配置されている。すなわち、第１方向における第１コネクタ接続部６０Ｃの位置と第２コネクタ接続部７０Ｂの位置とが一致するように設定されている。
【００３７】
さらに、第２給電ターミナル７０の他端部には、後述するバリスタ８０の脚部８４が接続される「素子接続部」としての雑防素子接続部７０Ｅが一体に形成されている。雑防素子接続部７０Ｅは、第２屈曲部７０Ｄから下側へ延出されて、ベースプレート４２のコネクタ部４８に対して下側へ突出されている。これにより、雑防素子接続部７０Ｅが、第１方向を板厚方向として配置されると共に、第１給電ターミナル６０の雑防素子接続部６０Ｅに対して第１方向一方側にずれて（離間して）配置されている。また、雑防素子接続部７０Ｅの先端部（下端部）には、下側へ開放された「溝部」としての第２接続溝７０Ｅ１が形成されている。そして、第２方向における第１接続溝６０Ｅ１と第２接続溝７０Ｅ１との間の距離が、後述するバリスタ８０の一対の脚部８４間の距離と一致するように設定されている。
【００３８】
また、図１に示されるように、ブラシ装置４０は、「電気素子（雑防素子）」としてのバリスタ８０を有している。バリスタ８０は、ベースプレート４２におけるコネクタ部４８の下側に配置されている。バリスタ８０は、略円形偏平状の素子本体部８２と、素子本体部８２から延出された一対の脚部８４と、を含んで構成されている。そして、バリスタ８０の素子本体部８２が雑防素子接続部６０Ｅ及び雑防素子接続部７０Ｅに対して第１方向一方側（モータ本体１２の径方向内側）に配置されている。また、バリスタ８０の脚部８４は、素子本体部８２から第１方向他方側（モータ本体１２の径方向外側）へ延出されると共に、第２方向に並んで配置されている。そして、一方の脚部８４が雑防素子接続部６０Ｅの第１接続溝６０Ｅ１内に圧入されると共に、他方の脚部８４が雑防素子接続部７０Ｅの第２接続溝７０Ｅ１内に圧入されている。これにより、バリスタ８０が、外部コネクタと第１ブラシ５０及び第２ブラシ５２との間において、第１給電ターミナル６０及び第２給電ターミナル７０を接続している。
【００３９】
次に、本実施の形態の作用及び効果について説明する。
【００４０】
上記のように構成されたモータ１０では、外部コネクタがモータ１０のコネクタハウジング部に嵌着されることで、外部コネクタの端子が、第１給電ターミナル６０の第１コネクタ接続部６０Ｃ及び第２給電ターミナル７０の第２コネクタ接続部７０Ｂに接続される。これにより、外部コネクタと第１ブラシ５０及び第２ブラシ５２とが、第１給電ターミナル６０及び第２給電ターミナル７０によって電気的に接続されて、第１ブラシ５０及び第２ブラシ５２に電力が供給される。
【００４１】
また、外部コネクタと第１ブラシ５０及び第２ブラシ５２との間には、第１給電ターミナル６０及び第２給電ターミナル７０を接続するバリスタ８０及びコンデンサ７６が設けられている。具体的には、第１給電ターミナル６０の他端部に雑防素子接続部６０Ｅが設けられており、雑防素子接続部６０Ｅが板厚方向を第１方向として第１ターミナル本体部６０Ｂから下側へ延出されている。また、第２給電ターミナル７０の他端部に雑防素子接続部７０Ｅが設けられており、雑防素子接続部７０Ｅが板厚方向を第１方向として第２ターミナル本体部７０Ａの本体片７０Ａ２から下側へ延出されている。そして、雑防素子接続部６０Ｅの第１接続溝６０Ｅ１内及び雑防素子接続部７０Ｅの第２接続溝７０Ｅ１内にバリスタ８０の脚部８４が下側から圧入されている。また、第１給電ターミナル６０の雑防素子接続部６０Ｇ及び第２給電ターミナル７０の雑防素子接続部７０Ｃのそれぞれの先端部に、コンデンサ７６の脚部が接続されている。これにより、モータ１０の駆動時におけるノイズの発生がバリスタ８０及びコンデンサ７６によって抑制される。
【００４２】
ここで、モータ１０では、第２給電ターミナル７０の雑防素子接続部７０Ｅが、第１給電ターミナル６０の雑防素子接続部６０Ｅに対して第１方向一方側（モータ本体１２の径方向内側）にずれて（離間して）配置されている。すなわち、雑防素子接続部７０Ｅと雑防素子接続部６０Ｅが、モータ本体１２の軸方向から見て第２方向に並んで配置されていない。このため、バリスタ８０の脚部８４間の距離が短い場合でも、雑防素子接続部６０Ｅ及び雑防素子接続部７０Ｅが互いに干渉しないように、バリスタ８０の脚部８４間の距離に対応させて雑防素子接続部６０Ｅ及び雑防素子接続部７０Ｅを配置できる。
【００４３】
以下、この点について、雑防素子接続部６０Ｅ及び雑防素子接続部７０Ｅが第２方向に並んで配置された比較例と比較して説明する。すなわち、雑防素子接続部６０Ｅ及び雑防素子接続部７０Ｅを第２方向に並んで配置したときには、雑防素子接続部６０Ｅ及び雑防素子接続部７０Ｅが互いに干渉しないように、両者を第２方向に離間して配置する必要がある。また、雑防素子接続部６０Ｅ及び雑防素子接続部７０Ｅは、第１方向を板厚方向として配置されており、雑防素子接続部６０Ｅ及び雑防素子接続部７０Ｅの先端部（下端部）には、それぞれ第１接続溝６０Ｅ１及び第２接続溝７０Ｅ１が形成されている。このため、加工上の制約等から、雑防素子接続部６０Ｅ及び雑防素子接続部７０Ｅの幅寸法（第２方向の寸法）を所定寸法以上にする必要がある。これにより、第２方向における第１接続溝６０Ｅ１と第２接続溝７０Ｅ１との間の距離が、バリスタ８０の脚部８４間の距離よりも大きくなる場合がある。この場合には、バリスタ８０の脚部８４に曲げ加工等を施して、バリスタ８０の脚部８４間の距離を大きくする必要がある。その結果、作業工数が増加すると共に、バリスタ８０や雑防素子接続部６０Ｅ及び雑防素子接続部７０Ｅの搭載スペースが第２方向において大きくなる。
【００４４】
これに対して、本実施の形態では、雑防素子接続部７０Ｅが、雑防素子接続部６０Ｅに対して第１方向一方側（モータ本体１２の径方向内側）にずれて（離間して）配置されている。このため、上記比較例に比べて、雑防素子接続部６０Ｅと雑防素子接続部７０Ｅとを第２方向に接近して配置することができる。その結果、雑防素子接続部６０Ｅ及び雑防素子接続部７０Ｅが互いに干渉することなく、バリスタ８０の脚部８４間の距離に対応して、雑防素子接続部６０Ｅ及び雑防素子接続部７０Ｅを配置できる。これにより、上記比較例のように、バリスタ８０の脚部８４を屈曲させることなく当該脚部８４を第１接続溝６０Ｅ１及び第２接続溝７０Ｅ１内に圧入することができる。また、上記比較例と比べて、第２方向における雑防素子接続部６０Ｅ及び雑防素子接続部７０Ｅの搭載スペースを小さくすることができる。したがって、作業工数の増加を抑制しつつ、バリスタ８０や雑防素子接続部６０Ｅ及び雑防素子接続部７０Ｅの搭載スペースの大型化を抑制できる。また、バリスタ８０の脚部８４に曲げ加工を施す必要がなくなるため、モータ１０のコストアップの増加を抑制することができる。
【００４５】
しかも、第１給電ターミナル６０の他端部を構成する第１コネクタ接続部６０Ｃが、第１ターミナル本体部６０Ｂから上側へ延出されている。このため、第１給電ターミナル６０の雑防素子接続部６０Ｅが、第１コネクタ接続部６０Ｃの下側において、第１コネクタ接続部６０Ｃの延出方向とは反対側に延出されている。また、第２給電ターミナル７０の他端部を構成する第２コネクタ接続部７０Ｂは、第２ターミナル本体部７０Ａの本体片７０Ａ２から上側へ延出されている。このため、第２給電ターミナル７０の雑防素子接続部７０Ｅが、第２コネクタ接続部７０Ｂの下側において、第２コネクタ接続部７０Ｂの延出方向とは反対側に延出されている。これにより、ベースプレート４２におけるコネクタ部４８の下側の空間を有効に活用してバリスタ８０を配置することができると共に、バリスタ８０を第１給電ターミナル６０及び第２給電ターミナル７０に接続することができる。
【００４６】
また、第１給電ターミナル６０では、第１コネクタ接続部６０Ｃ及び雑防素子接続部６０Ｅが上下方向に延在されるように構成され、第２給電ターミナル７０では、第２コネクタ接続部７０Ｂ及び雑防素子接続部７０Ｅが上下方向に延在されるように構成される。つまり、第１コネクタ接続部６０Ｃ及び雑防素子接続部６０Ｅ（第２コネクタ接続部７０Ｂ及び雑防素子接続部７０Ｅ）を纏めた形態にして、上下方向に延在させることができる。これにより、第１給電ターミナル６０、第２給電ターミナル７０、及びベースプレート４２の構造が複雑化することを抑制できる。
【００４７】
また、モータ本体１２の軸方向から見て、バリスタ８０の素子本体部８２が雑防素子接続部６０Ｅ及び雑防素子接続部７０Ｅに対して第１方向一方側（モータ本体１２の径方向内側）に配置されている。さらに、バリスタ８０の脚部８４は、素子本体部８２から第１方向他方側（モータ本体１２の径方向外側）へ延出されて、脚部８４が第１接続溝６０Ｅ１内及び第２接続溝７０Ｅ１内に圧入されている。このため、雑防素子接続部６０Ｅ及び雑防素子接続部７０Ｅに対して第１方向他方側（モータ本体１２の径方向外側）に素子本体部８２を配置する場合と比べて、モータ１０をモータ本体１２の径方向に小型化することができる。
【００４８】
以下、この点について説明する。つまり、第１給電ターミナル６０の第１コネクタ接続部６０Ｃ、第２給電ターミナル７０の第２コネクタ接続部７０Ｂ、及びモータ本体１２の各位置は、モータ１０が搭載される車両のレイアウトや外部コネクタの設定位置等によって設定されている。換言すると、第１コネクタ接続部６０Ｃ、第２コネクタ接続部７０Ｂ、及びモータ本体１２の位置変更が制限されている。このため、雑防素子接続部６０Ｅ及び雑防素子接続部７０Ｅに対して第１方向他方側（モータ本体１２の径方向外側）に素子本体部８２を配置した場合には、ベースプレート４２のコネクタ部４８が本実施の形態と比べて、第１方向他方側へ延びる。これにより、モータ１０がモータ本体１２の径方向外側に大きくなる。これに比べて、本実施の形態では、バリスタ８０の素子本体部８２が雑防素子接続部６０Ｅ及び雑防素子接続部７０Ｅに対して第１方向一方側に配置されているため、上記の場合と比べてモータ１０をモータ本体１２の径方向に小型化することができる。
【００４９】
なお、本実施の形態では、雑防素子接続部６０Ｅが第１コネクタ接続部６０Ｃの下側において第１ターミナル本体部６０Ｂから下側へ延出され、雑防素子接続部７０Ｅが第２コネクタ接続部７０Ｂの下側において第２ターミナル本体部７０Ａから下側へ延出されている。これに代えて、雑防素子接続部６０Ｅを、第１コネクタ接続部６０Ｃに対して第１方向一方側に配置して、第１ターミナル本体部６０Ｂから下側へ延出させてもよい。また、雑防素子接続部７０Ｅを、第２コネクタ接続部７０Ｂに対して第１方向一方側に配置して、第２ターミナル本体部７０Ａから下側へ延出させてもよい。この場合には、モータ本体１２の軸方向から見て、バリスタ８０の素子本体部８２を雑防素子接続部６０Ｅ及び雑防素子接続部７０Ｅに対して第１方向他方側に配置すると共に、バリスタ８０の脚部８４を、素子本体部８２から第１方向一方側へ延出させて、脚部８４を第１接続溝６０Ｅ１及び第２接続溝７０Ｅ１内に圧入してもよい。
【００５０】
また、本実施の形態では、雑防素子接続部６０Ｅ及び雑防素子接続部７０Ｅにバリスタ８０が接続されているが、雑防素子接続部６０Ｅ及び雑防素子接続部７０Ｅにコンデンサを接続するように構成してもよい。
【符号の説明】
【００５１】
１０・・・モータ、１２・・・モータ本体、２６・・・整流子、４０・・・ブラシ装置、５０・・・第１ブラシ、５２・・・第２ブラシ、６０・・・第１給電ターミナル（給電ターミナル）、６０Ｃ・・・第１コネクタ接続部（コネクタ接続部）、６０Ｅ・・・雑防素子接続部（素子接続部）、６０Ｅ１・・・第１接続溝（溝部）、７０・・・第２給電ターミナル（給電ターミナル）、７０Ｂ・・・第２コネクタ接続部（コネクタ接続部）、７０Ｅ・・・雑防素子接続部（素子接続部）、７０Ｅ１・・・第２接続溝（溝部）、８０・・・バリスタ（電気素子）、８２・・・素子本体部、８４・・・脚部
【図１】
0006413836.tif 000002
【図２】
0006413836.tif 000003
【図３】
0006413836.tif 000004
【図４】
0006413836.tif 000005